(57)【特許請求の範囲】
【請求項１】
放送信号から時系列順の映像及び音声のデータを取得し、取得したデータを記録媒体が有する複数の記録層に記録するデータ記録方法において、
取得した時系列順のデータが広告に関するデータであるか否かを判定するための情報を放送信号から逐次取得し、
取得した情報に基づいて、取得したデータが広告に関するデータであるか否かを逐次判定し、
データを一の記録層に記録していて、取得したデータが広告に関するデータであると判定した場合、一の記録層の記憶容量を検出し、
検出結果に基づいて、一の記録層に所定時間以上のデータを記録する空き容量があるか否かを判定し、
否と判定した場合、一の記録層への記録を停止させ、
データの記録を停止させた場合、データの記録が停止された後に取得したデータが広告に関するデータであるか否かを判定するための情報を逐次取得し、該情報に基づいて、前記データが広告に関するデータであるか否かを逐次判定し、
データの記録が停止された後に取得したデータが広告に関するデータであると判定した場合、広告に関するデータの取得を終了するまでの間、前記判定を繰り返し、取得したデータが広告に関するデータでないと判定した場合、該データの他の記録層への記録を再開する
ことを特徴とするデータ記録方法。
【請求項２】
放送信号から時系列順の映像及び音声のデータを取得し、取得したデータを記録媒体が有する複数の記録層に記録するデータ記録装置において、
取得した時系列順のデータが広告に関するデータであるか否かを判定するための情報を放送信号から逐次取得する取得手段と、
該取得手段が取得した情報に基づいて、取得したデータが広告に関するデータであるか否かを逐次判定する判定手段と、
データを一の記録層に記録していて、前記判定手段が広告に関するデータであると判定した場合、一の記録層の記憶容量を検出する容量検出手段と、
該容量検出手段の検出結果に基づいて、一の記録層に所定時間以上のデータを記録する空き容量があるか否かを判定する容量判定手段と、
該容量判定手段が否と判定した場合、一の記録層への記録を停止させる停止手段と
を備え、
前記取得手段は、該停止手段によってデータの記録が停止された場合、データの記録を停止させた後に取得したデータが広告に関するデータであるか否かを判定するための情報を逐次取得し、前記判定手段は、該情報に基づいて、前記データが広告に関するデータであるか否かを逐次判定し、データの記録が停止された後、取得したデータが広告に関するデータであると判定した場合、広告に関するデータの取得を終了するまでの間、前記判定を繰り返すようにしてあり、
更に、前記停止手段が記録を停止させた場合、データの記録が停止された後に取得したデータが広告に関するデータでないと判定したとき、該データの他の記録層への記録を再開する記録手段と
を備えることを特徴とするデータ記録装置。
【請求項３】
前記取得手段は、
放送信号がステレオ放送又は二カ国語放送に係る放送信号のいずれであるかを示す情報を取得するようにしてあり、
前記判定手段は、
前記取得手段が二カ国語放送であることを示す情報及びステレオ放送であることを示す情報を順に取得した場合、取得したデータが広告に関するデータであると判定する手段を備える
ことを特徴とする請求項２に記載のデータ記録装置。
【発明の詳細な説明】
【技術分野】
【０００１】
本発明は、放送信号から映像及び音声のデータを取得し、取得したデータを記録媒体が有する複数の記録層に記録するデータ記録方法及び該データ記録方法を実施するデータ記録装置に関する。
【背景技術】
【０００２】
ＤＶＤレコーダのようなデータ記録再生装置は、アンテナで受信した放送信号から番組映像及び音声のデータを取得するためのチューナ、及び取得した映像及び音声のデータを複数の記録層を有する記録媒体、例えばＤＶＤ（Digital Versatile Disc）、ＢＤ（Blu-ray Disc）等に書き込む光ピックアップを備えており、放送された映像及び音声のデータを記録媒体に記録する機能を有している。また、データ記録再生装置は、記録媒体から映像及び音声のデータを読み出して再生する機能を有している。
【０００３】
ところが、複数の記録層にわたって記録されたデータを再生する場合、具体的には一の記録層の終了アドレスを有するセクタに記録されたデータに次いで、他の記録層の開始アドレスを有するセクタに記録されたデータを読み出して再生する場合、光ピックアップの移動に時間を要するため、データの読み出しが遅れ、映像が一時停止する虞があった。
【０００４】
上述の問題を解決するために、一の記録層の最終アドレスを有するセクタに記録されたデータ及び他の記録層の開始アドレスを有するセクタに記録されたデータを予めバッファメモリに記憶させておき、バッファメモリが記憶したデータを再生するデータ再生方法及びデータ記録再生装置が提案されている（例えば、特許文献１）。
特許文献１によれば、映像が一時停止する問題を解決することができる。
【特許文献１】特開平１０−２０８２５５号公報
【発明の開示】
【発明が解決しようとする課題】
【０００５】
しかしながら、データの記録方法は従来と同様であるため、一の記録層に記録するデータと他の記録層に記録するデータとの境目を選択することはできず、例えばハイライトシーンのデータが複数の記録層にわたって記録される虞があった。このように記録された映像及び音声のデータを、上述の機能を備えない他のデータ記録再生装置で再生した場合、ハイライトシーンで映像が一時停止するという問題が生ずる。
【０００６】
本発明は、斯かる事情に鑑みてなされたものであり、放送信号から取得したデータが広告に関するデータであるか否かを判定し、広告に関するデータであると判定し且つデータを記録している一の記録層に所定時間以上のデータを記録する空き容量がないと判定した場合、他の記録層にデータを記録することにより、再生時の映像停止箇所が広告に関する映像部分に一致し、映像停止が目立たなくなるようにデータを記録することができるデータ記録方法及び該データ記録方法を実施するデータ記録装置を提供することを目的とする。
【０００７】
本発明の他の目的は、広告に関するデータであると判定し且つデータを記録している一の記録層に所定時間以上のデータを記録する空き容量がないと判定した場合、データの記録を停止し、引き続き取得したデータが広告に関するデータでないと判定した場合、該データを他の記録層に記録するように構成することにより、記録先を一の記録層から他の記録層に切り換える際、広告に関するデータを省いて、映像及び音声のデータを記録することができるデータ記録装置を提供することにある。
【課題を解決するための手段】
【０００８】
本発明に係るデータ記録方法は、放送信号から時系列順の映像及び音声のデータを取得し、取得したデータを記録媒体が有する複数の記録層に記録するデータ記録方法において、取得した時系列順のデータが広告に関するデータであるか否かを判定するための情報を放送信号から逐次取得し、取得した情報に基づいて、取得したデータが広告に関するデータであるか否かを逐次判定し、データを一の記録層に記録していて、取得したデータが広告に関するデータであると判定した場合、一の記録層の記憶容量を検出し、検出結果に基づいて、一の記録層に所定時間以上のデータを記録する空き容量があるか否かを判定し、否と判定した場合、一の記録層への記録を停止させ、データの記録を停止させた場合、データの記録が停止された後に取得したデータが広告に関するデータであるか否かを判定するための情報を逐次取得し、該情報に基づいて、前記データが広告に関するデータであるか否かを逐次判定し、データの記録が停止された後に取得したデータが広告に関するデータであると判定した場合、広告に関するデータの取得を終了するまでの間、前記判定を繰り返し、取得したデータが広告に関するデータでないと判定した場合、該データの他の記録層への記録を再開することを特徴とする。
【０００９】
本発明の係るデータ記録装置は、放送信号から時系列順の映像及び音声のデータを取得し、取得したデータを記録媒体が有する複数の記録層に記録するデータ記録装置において、取得した時系列順のデータが広告に関するデータであるか否かを判定するための情報を放送信号から逐次取得する取得手段と、該取得手段が取得した情報に基づいて、取得したデータが広告に関するデータであるか否かを逐次判定する判定手段と、データを一の記録層に記録していて、前記判定手段が広告に関するデータであると判定した場合、一の記録層の記憶容量を検出する容量検出手段と、該容量検出手段の検出結果に基づいて、一の記録層に所定時間以上のデータを記録する空き容量があるか否かを判定する容量判定手段と、該容量判定手段が否と判定した場合、一の記録層への記録を停止させる停止手段とを備え、前記取得手段は、該停止手段によってデータの記録が停止された場合、データの記録を停止させた後に取得したデータが広告に関するデータであるか否かを判定するための情報を逐次取得し、前記判定手段は、該情報に基づいて、前記データが広告に関するデータであるか否かを逐次判定し、データの記録が停止された後、取得したデータが広告に関するデータであると判定した場合、広告に関するデータの取得を終了するまでの間、前記判定を繰り返すようにしてあり、更に、前記停止手段が記録を停止させた場合、データの記録が停止された後に取得したデータが広告に関するデータでないと判定したとき、該データの他の記録層への記録を再開する記録手段とを備えることを特徴とする。
【００１０】
本発明の係るデータ記録装置は、前記取得手段は、放送信号がステレオ放送又は二カ国語放送に係る放送信号のいずれであるかを示す情報を取得するようにしてあり、前記判定手段は、前記取得手段が二カ国語放送であることを示す情報及びステレオ放送であることを示す情報を順に取得した場合、取得したデータが広告に関するデータであると判定する手段を備えることを特徴とする。
【００１２】
本発明にあっては、取得した映像及び音声のデータが広告に関するデータであるか否かを判定するための情報を取得し、取得した情報に基づいて、取得中の映像及び音声のデータが広告に関するデータであるか否かを判定する。
前記情報は、例えば放送信号がステレオ放送又は二カ国語放送に係る放送信号のいずれであるかを示す情報であり、二カ国語放送であることを示す情報及びステレオ放送であることを示す情報を順に取得した場合、広告に関するデータであると判定する。
広告に関するデータであると判定した場合、データを記録している一の記録層の記憶容量を検出し、検出結果に基づいて一の記録層に所定時間以上のデータを記録するための空き容量があるか否かを判定する。空き容量がないと判定した場合、取得したデータを他の記録層に記録する。
従って、広告に関するデータが一の記録層及び他の記録層にわたって記録され、他のデータは一の記録層及び他の記録層にわたって記録されない。
【００１３】
本発明にあっては、停止手段は、取得しているデータが広告に関するデータであり、一の記録層に所定時間以上のデータを記録するための空き容量がないと判定した場合、一の記録層への記録を停止させる。記録手段は、停止手段が一の記録層への記録を停止させた場合、取得したデータが広告に関するデータでないと判定したとき、該データを他の記録層に記録する。
従って、広告に関するデータを省いて、広告に関するデータ以外のデータを他の記録層に記録することができる。
【発明の効果】
【００１４】
本発明によれば、再生時の映像停止箇所が広告に関する映像部分に一致し、映像停止が目立たなくなるように、データを記録することができる。
【００１５】
本発明によれば、記録先を一の記録層から他の記録層に切り換える際、広告に関するデータを省いて、映像及び音声のデータを記録することができる。
【発明を実施するための最良の形態】
【００１６】
以下、本発明をその実施の形態を示す図面に基づいて詳述する。
（実施の形態１）
図１は、本発明の実施の形態１に係るデータ記録方法を実施するデータ記録再生装置のブロック図である。
【００１７】
図中１は、アンテナＡで受信した放送信号を増幅し、制御部２０から与えられた制御信号に応じて特定チャンネルの信号を選択するアナログチューナであり、アナログチューナ１は、選択した信号を中間周波増幅部２に与える。
【００１８】
中間周波増幅部２は、選択された信号を所定周波数の中間周波信号に変換して増幅し、増幅した中間周波信号を映像検波部３及び音声検波部５に与える。
【００１９】
映像検波部３は、中間周波信号から映像信号を検波し、検波した映像信号を映像ＡＤＣ４に与える。映像ＡＤＣ４は、アナログの映像信号をデジタルの映像データにＡＤ変換し、ＡＤ変換した映像データを映像エンコーダ９に与える。
また、映像検波部３は、検波した映像信号を映像信号出力部１６を介して出力する。
【００２０】
音声検波部５は、中間周波信号から音声ＦＭ信号を検波し、検波した音声ＦＭ信号をＦＭ検波部６に与える。
ＦＭ検波部６は、音声ＦＭ信号から音声信号を検波し、検波した音声信号を音声多重復調部７に与える。音声ＦＭ信号から検波された音声信号は、２種の音声信号と、放送信号がステレオ放送又は二カ国語放送のいずれであるかを示す音声制御信号とを含む。２種の音声は、ステレオ放送における左音声及び右音声、又は二カ国語放送における主音声及び副音声である。例えば、主音声は日本語であり、副音声は英語である。
【００２１】
音声多重復調部７は、多重化された音声信号を復調し、復調した音声信号を音声ＡＤＣ８に与える。音声ＡＤＣ８は、アナログの音声信号をデジタルの音声データにＡＤ変換し、ＡＤ変換した音声データを音声エンコーダ１０に与える。また、音声多重復調部７は、音声制御信号を取得し、取得した音声制御信号を制御部２０に与える。
更に、音声多重復調部７は、復調した音声信号を音声信号出力部１９を介して出力する。
【００２２】
映像エンコーダ９は、映像データをＭＰＥＧ２の圧縮伸張方式で圧縮し、圧縮した映像データをＰＳ合成部１１に与える。
音声エンコーダ１０は、音声データをＡＣ３（Audio Code number3）の圧縮伸張方式で圧縮し、圧縮した音声データをＰＳ合成部１１に与える。
【００２３】
ＰＳ合成部１１は、映像エンコーダ９から与えられた映像データと、音声エンコーダ１０から与えられた音声データとを合成し、ＭＰＥＧ２ＰＳ（Program Stream）形式のストリームデータを生成する。そして、ＰＳ合成部１１は、生成したストリームデータをＤＶＤドライブ１２に与える。
【００２４】
ＤＶＤドライブ１２は、ストリームデータを８−１６変調する変調部、変調されたストリームデータを、ＤＶＤ２４が有する第１記録層２４ａ及び第２記録層２４ｂ（図４参照）に記録する光ピックアップを備えている。また、ＤＶＤドライブ１２は、光ピックアップによってＤＶＤ２４から読み出したストリームデータを復調する復調部を備えており、復調したストリームデータをＰＳ分離部１３に与える。
データ記録再生装置が備える図示しない筐体の正面側には、ＤＶＤ２４を出し入れするための矩形の挿入口が設けられており、ＤＶＤドライブ１２は、ＤＶＤ２４を内部に装着するＤＶＤ装着部１２ａ、ＤＶＤ２４を載せてＤＶＤ装着部１２ａの内部へＤＶＤ２４を誘導する図示しないステージ、及びステージを挿入口から前後方向へスライドさせるモータを備えている。
【００２５】
ＰＳ分離部１３は、ＤＶＤドライブ１２から与えられたＭＰＥＧ２ＰＳ形式のストリームデータを映像データ及び音声データに分離し、分離した映像データを映像デコーダ１４に与え、音声データを音声デコーダ１７に与える。
【００２６】
映像デコーダ１４は、圧縮された映像データをＭＰＥＧ２形式の圧縮伸張方式に従って伸張し、伸張した映像データを映像ＤＡＣ１５に与える。
映像ＤＡＣ１５は、デジタルの映像データをアナログの映像信号にＤＡ変換し、ＤＡ変換した映像信号を、映像信号出力部１６を介して出力する。
【００２７】
音声デコーダ１７は、圧縮された音声データをＡＣ３形式の圧縮伸張方式に従って伸張し、伸張した映像データを音声ＤＡＣ１８に与える。
音声ＤＡＣ１８は、デジタルの音声データをアナログの音声データにＤＡ変換し、ＤＡ変換した音声信号を、音声信号出力部を介して出力する。
【００２８】
制御部２０は、ＣＰＵ、ＲＯＭ、ＲＡＭ等を備えたマイクロコンピュータからなり、各種ハードウェアに制御信号を与えて動作を制御する。例えば、制御部２０は、ＤＶＤドライブ１２によるストリームデータの記録及び再生を制御する。
【００２９】
制御部２０には、遠隔操作装置２３から送信された赤外光の信号を受信する受信部２１、表示部２２等が設けられている。
遠隔操作装置２３は、電源ボタン、再生ボタン、記録ボタン、複製ボタン等を有する操作部を備えており、操作部の操作に応じた赤外光の信号を送信する。
受信部２１は、遠隔操作装置２３から送信された赤外光の信号を受信するフォトダイオードを備えており、操作部の操作状態を検出する。
表示部２２は、液晶ディスプレイを備えており、データ記録再生装置の動作状態、時刻等を表示する。
【００３０】
図２及び図３は、ストリームデータの記録に係る制御部２０の処理手順を示すフローチャートである。
制御部２０は、遠隔操作装置２３の記録ボタンの操作を検出した場合、映像エンコーダ９による映像データの圧縮、音声エンコーダ１０による音声データの圧縮、ＰＳ合成部１１によるストリームデータの生成、ＤＶＤドライブ１２によるストリームデータの記録を制御することにより、ストリームデータの第１記録層２４ａへの記録を開始させる（ステップＳ１１）。
【００３１】
次いで、制御部２０は、ステレオフラグに０を設定する（ステップＳ１２）。ステレオフラグは、受信している放送信号がステレオ放送であるか否かを示すフラグであり、受信している映像及び音声が広告に関するものであるか否かを判定するためのデータである。０のステレオフラグは二カ国語放送、１のステレオフラグはステレオ放送を示している。
【００３２】
そして、制御部２０は、ストリームデータを第１記録層２４ａに記録しているか否かを判定する（ステップＳ１３）。第１記録層２４ａに記録していると判定した場合（ステップＳ１３：ＹＥＳ）、制御部２０は、第１記録層２４ａの空き容量を検出する（ステップＳ１４）。例えば、制御部２０は、ＤＶＤドライブ１２にＤＶＤ２４のファイル管理情報を読み出させ、該ファイル管理情報に基づいて、第１記録層２４ａの空き容量を検出する。
【００３３】
次いで、制御部２０は、第１記録層２４ａに空き容量があるか否かを判定する（ステップＳ１５）。空き容量があると判定した場合（ステップＳ１５：ＹＥＳ）、制御部２０は、音声多重復調部７から音声制御信号を取得する（ステップＳ１６）。空き容量がないと判定した場合（ステップＳ１５：ＮＯ）、第２記録層２４ｂへの記録に係るステップＳ２３の処理を実行する。
【００３４】
ステップＳ１６の処理を終えた場合、制御部２０は、音声制御信号に基づいて、ステレオ放送であるか否かを判定する（ステップＳ１７）。ステレオ放送でないと判定した場合（ステップＳ１７：ＮＯ）、制御部２０は、ステレオフラグに０を設定する（ステップＳ１８）。
【００３５】
ステレオ放送であると判定した場合（ステップＳ１７：ＹＥＳ）、制御部２０は、ステレオフラグが０であるか否かを判定する（ステップＳ１９）。ステレオフラグが０であると判定した場合（ステップＳ１９：ＹＥＳ）、制御部２０は、第１記録層２４ａの空き容量を検出し（ステップＳ２０）、検出した空き容量に基づいて、第１記録層２４ａにストリームデータを記録可能な時間を算出する（ステップＳ２１）。記録可能な時間は、例えば空き容量を最大記録ビットレートで除算することで得られる。
【００３６】
次いで、制御部２０は、記録可能な時間が所定時間、例えば１０分以上であるか否かを判定する（ステップＳ２２）。記録可能な時間が１０分未満であると判定した場合（ステップＳ２２：ＮＯ）、又はステップＳ１５で空き容量がないと判定した場合（ステップＳ１５：ＮＯ）、制御部２０は、ＤＶＤドライブ１２によるストリームデータの記録を制御することにより、ストリームデータの第２記録層２４ｂへの記録を開始させる（ステップＳ２３）。記録可能な時間が１０分以上であると判定した場合（ステップＳ２２：ＹＥＳ）、制御部２０は、ステレオフラグに１を設定する（ステップＳ２４）。
【００３７】
ステップＳ２３、ステップＳ２４若しくはステップＳ１８の処理を終えた場合、ステップＳ１９でステレオフラグが０でないと判定した場合（ステップＳ１９：ＮＯ）、又はステップＳ１３で第１記録層２４ａに記録していないと判定した場合（ステップＳ１３：ＮＯ）、制御部２０は、遠隔操作装置２３の操作状態又は第２記録層２３ｂの空き容量に基づいて、ストリームデータの記録を終了するか否かを判定する（ステップＳ２５）。記録を終了しないと判定した場合（ステップＳ２５：ＮＯ）、制御部２０は、処理をステップＳ１３へ戻す。記録を終了すると判定した場合（ステップＳ２５：ＹＥＳ）、制御部２０は、ストリームデータの記録に係る処理を終える。
【００３８】
このように構成されたデータ記録再生装置の動作を説明する。
図４は、ＤＶＤ２４に記録されたストリームデータの内容を示す模式図である。
ステレオ放送時に広告に係る放送信号が放送され、二カ国語放送時に広告以外の本編に係る放送信号が放送されている場合を説明する。
【００３９】
二カ国語放送にて本編に係る放送信号が放送されている場合、ステップＳ１７及びステップＳ１８の処理によってステレオフラグが０に設定される。
二カ国語放送からステレオ放送に切り替わった場合、ステップＳ２１の処理によって、制御部２０は第１記録層２４ａにストリームデータを記録可能な時間を算出する。記録可能な時間が１０分未満である場合、ストリームデータの記録先を第１記録層２４ａから第２記録層２４ｂに切り換える。以後、ストリームデータは第２記録層２４ｂに記録される。
従って、図４に示すように、広告に関するストリームデータが第１及び第２記録層２４ａ，２４ｂにわたるように、ストリームデータを記録することができる。
つまり、記録されたストリームデータを再生した場合、再生時の映像停止箇所が広告に関する映像部分に一致し、映像停止が目立たなくなるように、ストリームデータを記録することができる。
【００４０】
なお、実施の形態１にあっては、ストリームデータを第１及び第２記録層を有するＤＶＤに記録する場合を説明したが、複数の記録層を有する他の記録媒体、例えばＢＤ、ＡＯＤ（Ａｄｖａｎｃｅｄ  Ｏｐｔｉｃａｌ  Ｄｉｓｃ）等に記録するように構成しても良い。
【００４１】
また、音声制御信号に基づいて、ステレオ放送又は二カ国語放送の別を判定し、広告に関するストリームデータを判別するように構成してあるが、広告に関するストリームデータを判別することができるのであれば、他の情報を用いても良い。
【００４２】
更に、第１記録層に記録可能な所定時間が１０分の場合を説明したが、所定時間はこれに限定されない。所定時間を受け付ける所定時間受付手段を備え、第１記録層に前記所定時間受付手段が受け付けた所定時間以上のデータを記録する空き容量があるか否かを判定するように構成しても良い。
所定時間受付手段は、例えば遠隔操作装置及び受信部を備えている。遠隔操作装置は、使用者によって入力された所定時間に応じた信号を送信し、制御部は、受信部にて該信号を受信することで、所定時間を受け付ける。
【００４３】
更にまた、放送信号から放送内容を示す番組配列情報を取得し、該番組配列情報に基づいて、所定時間を変更するように構成しても良い。
【００４４】
（実施の形態２）
図５及び図６は、実施の形態２におけるストリームデータの記録に係る制御部２０の処理手順を示すフローチャートである。実施の形態２に係るデータ記録再生装置は、制御部２０の処理手順のみが異なるため、以下では主に上記相違点を説明する。
【００４５】
制御部２０は、遠隔操作装置２３の記録ボタンの操作を検出した場合、制御部２０は、ストリームデータの記録、広告に関するデータの判別に係るステップＳ１１乃至ステップＳ２１と同様のステップＳ４１乃至ステップＳ５１の処理を実行する。
【００４６】
ステップＳ５１の処理を終えた場合、制御部２０は、記録可能な時間が１０分以上であるか否かを判定する（ステップＳ５２）。記録可能な時間が１０分未満であると判定した場合（ステップＳ５２：ＮＯ）、制御部２０は、第１記録層２４ａへのストリームデータの記録を停止させる（ステップＳ５３）。
【００４７】
そして、制御部２０は、音声制御信号を取得し（ステップＳ５４）、取得した音声制御信号に基づいて、受信している放送信号が二カ国語放送であるか否かを判定する（ステップＳ５５）。二カ国語放送でないと判定した場合（ステップＳ５５：ＮＯ）、制御部２０は、処理をステップＳ５４へ戻す。
【００４８】
二カ国語放送であると判定した場合（ステップＳ５５：ＹＥＳ）、又は空き容量がないと判定した場合（ステップＳ４５：ＮＯ）、制御部２０は、ＤＶＤドライブ１２によるストリームデータの記録を制御することにより、ストリームデータの第２記録層２４ｂへの記録を開始させる（ステップＳ５６）。記録可能な時間が１０分以上であると判定した場合（ステップＳ５２：ＹＥＳ）、制御部２０は、ステレオフラグに１を設定する（ステップＳ５７）。
【００４９】
ステップＳ５６、ステップＳ５７若しくはステップＳ４８の処理を終えた場合、ステップＳ４９でステレオフラグが０でないと判定した場合（ステップＳ４９：ＮＯ）、又はステップＳ４３で第１記録層２４ａに記録していないと判定した場合（ステップＳ４３：ＮＯ）、制御部２０は、遠隔操作装置２３の操作状態又は第２記憶層２３ｂの空き容量に基づいて、ストリームデータの記録を終了するか否かを判定する（ステップＳ５８）。記録を終了しないと判定した場合（ステップＳ５８：ＮＯ）、制御部２０は、処理をステップＳ４３へ戻す。記録を終了すると判定した場合（ステップＳ５８：ＹＥＳ）、制御部２０は、記録に係る処理を終える。
【００５０】
このように構成されたデータ記録再生装置にあっては、図７に示すように、記録先を第１記録層２４ａから第２記録層２４ｂに切り換える際、広告に関するデータを省いて、映像及び音声のデータを記録することができる。
【００５１】
このように構成されたデータ記録再生装置の動作を説明する。
図７は、ＤＶＤ２４に記録されたストリームデータの内容を示す模式図である。
ステレオ放送時に広告に関する映像及び音声が放送され、二カ国語放送時に広告以外の本編の映像及び音声が放送されている場合を説明する。
【００５２】
二カ国語放送にて本編に係る放送信号が放送されている場合、ステップＳ４７及びステップＳ４８の処理によってステレオフラグが０に設定される。
二カ国語放送からステレオ放送に切り替わった場合、ステップＳ５１の処理によって、制御部２０は第１記録層２４ａにストリームデータを記録可能な時間を算出する。記録可能な時間が１０分未満である場合、制御部２０はステップＳ５３でストリームデータの記録を停止させる。
そして、ステレオ放送から二カ国語放送に切り替わった場合、つまり広告に係る放送の後、本編に係る放送信号が放送された場合、ストリームデータの記録先を第１記録層２４ａから第２記録層２４ｂに切り換える。以後、ストリームデータは第２記録層２４ｂに記録される。
従って、図７に示すように、第１記録層２４ａには、広告に関するストリームデータが最後に記録され、第２記録層２４ｂには、広告終了後の本編に関するストリームデータが記録される。このように記録されたストリームデータを再生した場合、再生時の映像停止箇所を広告に関する映像部分に一致させ、映像停止を目立たなくすることができる。
【００５３】
また、記録先を第１記録層２４ａから第２記録層２４ｂに切り換える際、広告に関するストリームデータを省いて、映像及び音声のストリームデータを記録することができる。
【００５４】
実施の形態２に係るデータ記録再生装置の他の構成、作用及び効果は、実施の形態１に係るデータ記録再生装置と同様であるため、対応する箇所には同様の符号を付して詳細な説明を省略する。
【００５５】
（実施の形態３）
図８は、本発明の実施の形態３に係るデータ記録方法を実施するデータ記録再生装置の構成を示すブロック図である。実施の形態３に係るデータ記録再生装置は、デジタル放送を受信可能に構成した点が実施の形態１に係るデータ記録再生装置と異なるため以下では主に上記相違点を説明する。
実施の形態２に係るデータ記録再生装置は、実施の形態１に係るアナログチューナ１、中間周波増幅部２、映像検波部３、映像ＡＤＣ４、音声検波部５、ＦＭ検波部６、音声多重復調部７、音声ＡＤＣ８、映像エンコーダ９、及び音声エンコーダ１０に代えて、デジタルチューナ２５、復調部２６、及びＴＳ分離部２７を備えている。
【００５６】
デジタルチューナ２５は、アンテナＡで受信した放送信号を増幅し、特定チャンネルの信号を選択する。そして、選択した信号を復調部２６に与える。
【００５７】
デジタルチューナ２５から与えられた信号は、ＯＦＤＭ（Orthogonal Frequency Division Multiplexing）方式で変調されており、復調部２６は、前記信号を、ＭＰＥＧ２ＴＳ（Transport Stream）形式のストリームデータに復調し、復調したストリームデータをＴＳ分離部２７に与える。
【００５８】
ＴＳ形式のストリームデータは、複数のＴＳパケットから構成されている。ＴＳパケットは、１乃至３番組の映像を構成する時系列順の映像データ及び音声データ、並びに番組配列情報（SI:Service Information）等をパケット化したものである。複数のＴＳパケットから、時系列順の映像データ及び音声データが復元される。
【００５９】
ＴＳ分離部２７は、ストリームデータから一の番組の映像データ及び音声データに係るＴＳパケットを選択し、選択したＴＳパケットからなる映像データ及び音声データを、夫々ＰＳ合成部１１に与える。また、ＴＳ分離部２７は、ストリームデータから広告に関するデータであるか否かを判定するためのＣＭ判別情報を分離し、分離したＣＭ判別情報を制御部２０に与える。ＣＭ判別情報は、例えば広告に関するストリームデータに付されたＣＭコードである。
【００６０】
図９及び図１０は、実施の形態３におけるストリームデータの記録に係る制御部２０の処理手順を示すフローチャートである。
制御部２０は、遠隔操作装置２３の記録ボタンの操作を検出した場合、ＤＶＤドライブ１２によるストリームデータの記録を制御することにより、ストリームデータの第１記録層２４ａへの記録を開始させる（ステップＳ８１）。
【００６１】
次いで、制御部２０は、ストリームデータを第１記録層２４ａに記録しているか否かを判定する（ステップＳ８２）。第１記録層２４ａに記録していると判定した場合（ステップＳ８２：ＹＥＳ）、制御部２０は、第１記録層２４ａの空き容量を検出する（ステップＳ８３）。
【００６２】
次いで、制御部２０は、第１記録層２４ａに空き容量があるか否かを判定する（ステップＳ８４）。空き容量があると判定した場合（ステップＳ８４：ＹＥＳ）、制御部２０は、ＴＳ分離部２７からＣＭ判別情報を取得する（ステップＳ８５）。空き容量がないと判定した場合（ステップＳ８４：ＮＯ）、第２記録層２４ｂへの記録に係るステップＳ９３の処理を実行する。
【００６３】
ステップＳ８５の処理を終えた場合、制御部２０は、ＣＭ判別情報に基づいて、ストリームデータが広告に関するデータであるか否かを判定する（ステップＳ８６）。ＣＭに関するデータであると判定した場合（ステップＳ８６：ＹＥＳ）、第１記録層２４ａの空き容量を検出し（ステップＳ８７）、検出した空き容量に基づいて、第１記録層２４ａへストリームデータを記録可能な時間を算出する（ステップＳ８８）。
【００６４】
次いで、制御部２０は、記録可能な時間が１０分以上であるか否かを判定する（ステップＳ８９）。記録可能な時間が１０分未満であると判定した場合（ステップＳ８９：ＮＯ）、制御部２０は、第１記録層２４ａへのストリームデータの記録を停止させる（ステップＳ９０）。
【００６５】
そして、制御部２０は、ＣＭ判別情報を取得し（ステップＳ９１）、取得したＣＭ判別情報に基づいて、ストリームデータが広告に関するデータであるか否かを判定する（ステップＳ９２）。
【００６６】
広告に関するデータであると判定した場合（ステップＳ９２：ＹＥＳ）、制御部２０は、処理をステップＳ９１へ戻す。広告に関するデータでないと判定した場合（ステップＳ９２：ＮＯ）、又はステップＳ８４で空き容量がないと判定した場合（ステップＳ８４：ＮＯ）、制御部２０は、ＤＶＤドライブ１２によるストリームデータの記録を制御することにより、ストリームデータの第２記録層２４ｂへの記録を開始させる（ステップＳ９３）。
【００６７】
ステップＳ９３の処理を終えた場合、ステップＳ８９で記録可能な時間が１０分以上であると判定した場合（ステップＳ８９：ＹＥＳ）、ステップＳ８６で広告に関するデータでないと判定した場合（ステップＳ８６：ＮＯ）、又はステップＳ８２で第１記録層２４ａに記録していないと判定した場合（ステップＳ８２：ＮＯ）、制御部２０は、遠隔操作装置２３の操作状態又は第２記憶層２４ｂの空き容量に基づいて、ストリームデータの記録を終了するか否かを判定する（ステップＳ９４）。記録を終了しないと判定した場合（ステップＳ９４：ＮＯ）、制御部２０は、処理をステップＳ８２へ戻す。記録を終了すると判定した場合（ステップＳ９４：ＹＥＳ）、制御部２０は、ストリームデータの記録に係る処理を終える。
【００６８】
このように構成されたデータ記録再生装置にあっては、実施の形態１及び２同様、再生時の映像停止箇所が広告に関する映像部分に一致し、映像停止が目立たなくなるようにストリームデータを記録することができる。
また、記録先を第１記録層２４ａから第２記録層２４ｂに切り換える際、広告に関するストリームデータを省いて、映像及び音声のストリームデータを記録することができる。
【００６９】
なお、実施の形態３にあっては、ＭＰＥＧ２形式のデータを取得し、記録するように構成してあるが、ＭＰＥＧ７形式の映像及び音声のデータを取得及び記録するように構成しても良い。この場合、記録対象のデータの内容を記述したメタデータをＣＭ判別情報として取得し、該メタデータに基づいて、広告に関するデータであるか否かを判定するように構成しても良い。メタデータは、ＸＭＬで記述されており、データの標題、作者、内容、性質、ジャンル等を示す情報を有している。
【００７０】
実施の形態３に係るデータ記録再生装置の他の構成、作用及び効果は、実施の形態１に係るデータ記録再生装置と同様であるため、対応する箇所には同様の符号を付して詳細な説明を省略する。
【図面の簡単な説明】
【００７１】
【図１】本発明の実施の形態１に係るデータ記録方法を実施するデータ記録再生装置のブロック図である。
【図２】ストリームデータの記録に係る制御部の処理手順を示すフローチャートである。
【図３】ストリームデータの記録に係る制御部の処理手順を示すフローチャートである。
【図４】ＤＶＤに記録されたストリームデータの内容を示す模式図である。
【図５】実施の形態２におけるストリームデータの記録に係る制御部の処理手順を示すフローチャートである。
【図６】実施の形態２におけるストリームデータの記録に係る制御部の処理手順を示すフローチャートである。
【図７】ＤＶＤに記録されたストリームデータの内容を示す模式図である。
【図８】本発明の実施の形態３に係るデータ記録方法を実施するデータ記録再生装置の構成を示すブロック図である。
【図９】実施の形態３におけるストリームデータの記録に係る制御部の処理手順を示すフローチャートである。
【図１０】実施の形態３におけるストリームデータの記録に係る制御部の処理手順を示すフローチャートである。
【符号の説明】
【００７２】
１  アナログチューナ
２  中間周波増幅部
３  映像検波部
４  映像ＡＤＣ
５  音声検波部
６  ＦＭ検波部
７  音声多重復調部
８  音声ＡＤＣ
９  映像エンコーダ
１０  音声エンコーダ
１１  ＰＳ合成部
１２  ＤＶＤドライブ
１２ａ  ＤＶＤ装着部
１３  ＰＳ分離部
１４  映像デコーダ
１５  映像ＤＡＣ
１６  映像信号出力部
１７  音声デコーダ
１８  音声ＤＡＣ
１９  音声信号出力部
２０  制御部
２１  受信部
２２  表示部
２３  遠隔操作装置
２４  ＤＶＤ
２４ａ  第１記録層
２４ｂ  第２記録層
２５  デジタルチューナ
２６  復調部
２７  ＴＳ分離部
Ａ  アンテナ
【図１】
0004410207.tif 000002
【図２】
0004410207.tif 000003
【図３】
0004410207.tif 000004
【図４】
0004410207.tif 000005
【図５】
0004410207.tif 000006
【図６】
0004410207.tif 000007
【図７】
0004410207.tif 000008
【図８】
0004410207.tif 000009
【図９】
0004410207.tif 000010
【図１０】
0004410207.tif 000011